(57)【要約】      （修正有）【課題】コンピュータケース本体の前後幅を光ディスクドライバの前後長さに該当する大きさだけ縮められるようにする。【解決手段】コンピュータのケース１０において、コンピュータのケースを構成するシャシーフロント１４の下部には内側面が開放され、外面と左右両側面を囲まれ函体形をなして光ディスクドライバ１６が収納される収納部が形成され、収納部上方のシャシーフロントの中間部分には、外面が開放され、貫通孔を介して収納部と連通するように形成され光ディスクドライバ駆動時ディスクトレイの出入りが自由に行われるようにするトレイ挿入窓２０が形成され、収納部の形成位置に該当するケース本体の前面板の縁部の左右両側には光ディスクドライバを固定する固定片２２が形成される。【選択図】図１
2008130222.tif 000002
【特許請求の範囲】
【請求項１】
コンピュータを構成するハードウェアが十分に収容できる大きさを有する六面体形状であり、底面部が開放され、内部には左右側面板（１２ａ）、前面板（１２ｂ）、背面板（１２ｃ）及び上面板（１２ｄ）により遮蔽された空間部が設けられるケース本体（１２）と、前記ケース本体（１２）の前面板の外側に装着されるシャシーフロント（１４）よりなるコンピュータのケースにおいて、
前記コンピュータのケースを構成するシャシーフロント（１４）の下部には内側面が開放され、外面と左右両側面を囲まれ函体形をなして光ディスクドライバ（１６）が収納される収納部（１８）が形成され、
前記収納部（１８）上方のシャシーフロント（１４）の中間部分には、外面が開放され、貫通孔（２０ａ）を介して収納部（１８）と連通するように形成され光ディスクドライバ（１６）駆動時ディスクトレイ（１６ａ）の出入りが自由に行われるようにするトレイ挿入窓（２０）が形成され、
前記収納部（１８）の形成位置に該当するケース本体（１２）の前面板（１２ｂ）の縁部の左右両側には光ディスクドライバ（１６）を固定する固定片（２２）が形成されることを特徴とするシャシーフロントに光ディスクドライバを装着したコンピュータのケース。
【請求項２】
前記シャシーフロント（１４）の一側面には光ディスクドライバ（１６）と電気的に連結されその作動を制御するディスクドライバ作動スイッチ（２４）が設けられ、
前記トレイ挿入窓（２０）の上方に該当するシャシーフロント（１４）の前面にはケース本体（１２）の内部のメインＰＣＢと電気的に連結された状態でコンピュータのオン、オフ動作を制御するメインスイッチ（２６）が設けられ、  
シャシーフロント（１４）の上部面にはケース本体（１２）の内部のメインＰＣＢと電気的に連結された多数個の機能ポート（３０ａ）が設けられた機能ポート部（３０）が形成される、  
前記機能ポート部（３０）は蓋（３２）により開閉されるように構成されることを特徴とする請求項１に記載のシャシーフロントに光ディスクドライバを装着したコンピュータのケース。
【請求項３】
前記光ディスクドライバ（１６）は固定片（２２）に対して垂直に装着されるか、あるいは、垂直線を基準にしてその上端部がコンピュータ本体側に３〜５°の傾きで傾いて取り付けられることを特徴とする請求項１に記載のシャシーフロントに光ディスクドライバを装着したコンピュータのケース。  
【請求項４】
前記ディスクトレイ（１６ａ）の表面下端の左右両側にはディスクトレイ（１６ａ）上に載置されるディスク（３４）が前方に離脱しないようにするディスク離脱防止片（１６ｂ）が取り付けられることを特徴とする請求項１に記載のシャシーフロントに光ディスクドライバを装着したコンピュータのケース。
【請求項５】
前記光ディスクドライバ（１６）が収容される函体形の収納部（１８）はシャシーフロント（１４）の上部に形成され、  
前記収納部（１８）下方のシャシーフロント（１４）前面下部には、光ディスクドライバ（１６）の駆動時ディスクトレイ（１６ａ）の出入りが自由に行われるようにするトレイ挿入窓（２０）が形成されることを特徴とする請求項１に記載のシャシーフロントに光ディスクドライバを装着したコンピュータのケース。
【発明の詳細な説明】
【技術分野】
【０００１】
本発明はシャシーフロントに光ディスクドライバを装着したコンピュータのケースに係り、さらに詳しくはコンパクトディスクプレーヤ（ＣＤＰ：Ｃｏｍｐａｃｔ  Ｄｉｓｋ  Ｐｌａｙｅｒ）またはＤＶＤＰ（Ｄｉｇｉｔａｌ  Ｖｉｄｅｏ  Ｄｉｓｋ  Ｐｌａｙｅｒ）のような光ディスクドライバ（Ｏｐｔｉｃａｌ  Ｄｉｓｋ  Ｄｒｉｖｅｒ）が、コンピュータケースを構成するシャシーフロントに装着されるように構成することで、コンピュータケース本体の前後幅を光ディスクドライバの前後長さに該当する大きさだけ縮められるようにし、光ディスクドライバが一層便利に使用できるようにするとともに、独特なデザインで製品のイメージアップを図ったシャシーフロントに光ディスクドライバを装着したコンピュータのケースに関する。  
【背景技術】
【０００２】
最近、家庭や事務室などでコンピュータが広く使われており、世界的にインターネット網が形成されていることから、コンピュータを用いた情報検索が幅広く用いられている。
このようなコンピュータ活用が広がる傾向に合わせてコンピュータの情報処理速度も一層早まり、容量も大きくなっているのが実情である。コンピュータはデータの入力や出力など単純な仕事処理や情報検索機能のほか、コンパクトディスクプレーヤ（ＣＤＰ）やＤＶＤプレーヤのような各種の周辺機器を搭載させて動画や音楽ファイルを再生できるようになるなど目覚ましく発展する傾向にある。
【０００３】
コンピュータ本体、すなわちＣＰＵが搭載されたメインＰＣＢとハードディスクドライバ（ＨＤＤ）など各種のハードウェアは、底面部が開放され、内部には左右側面板、前面板、背面板及び上面板によって遮蔽された空間部が設けられたケースに収納されて保護されている。
しかし、コンピュータ本体が収納される従来のコンピュータケースの場合、コンパクトディスクプレーヤやＤＶＤプレーヤのような光ディスクドライバは、コンピュータのケースの前面板から空間部の内側に装着されるため、コンピュータケースの内部空間が減少し、コンピュータケースの空間部体積を確保するためにはコンピュータのケースサイズを大きくせざるを得ない状況である。
【０００４】
一方、コンピュータケースが大きくなると、設置面積が広くなって空間活用度が著しく低下し、取り扱い難いという問題点がある。
また、光ディスクドライバがコンピュータのケースの内側に収納される場合、作動初期ディスクが載置されるディスクトレイ（Ｄｉｓｋ  Ｔｒａｙ）が前方外側に突出することから、椅子に座っている姿勢でディスクトレイ上にディスクを搭載させる動作が極めて不便なことは勿論、ディスクトレイ上にディスクが正しく搭載されない場合誤動作が発生するという問題点がある。
【特許文献１】特開２００７−１０２７５８号公報
【発明の開示】
【発明が解決しようとする課題】
【０００５】
本発明は、前述した従来の問題点を解決するためになされたもので、ＣＤＰまたはＤＶＤＰのような光ディスクドライバがコンピュータのケースを構成するシャシーフロントに装着されるように構成することによって、コンピュータケース本体の前後幅を光ディスクドライバの前後長さに該当する大きさだけ縮められるようにし、光ディスクドライバをさらに便利に使用できるようにするとともに、独特のデザインで製品イメージをアップさせるようにしたシャシーフロントに光ディスクドライバを装着したコンピュータのケースを提供することを目的とする。
【課題を解決するための手段】
【０００６】
上記目的を達成するため、本発明は、コンピュータを構成するハードウェアが十分に収容できる大きさを有する六面体形状であり、底面部が開放され、内部には左右側面板（１２ａ）、前面板（１２ｂ）、背面板（１２ｃ）及び上面板（１２ｄ）により遮蔽された空間部が設けられるケース本体（１２）と、前記ケース本体（１２）の前面板の外側に装着されるシャシーフロント（１４）よりなるコンピュータのケースにおいて、前記コンピュータのケースを構成するシャシーフロント（１４）の下部には内側面が開放され、外面と左右両側面を囲まれ函体形をなして光ディスクドライバ（１６）が収納される収納部（１８）が形成され、前記収納部（１８）上方のシャシーフロント（１４）の中間部分には、外面が開放され、貫通孔（２０ａ）を介して収納部（１８）と連通するように形成され光ディスクドライバ（１６）駆動時ディスクトレイ（１６ａ）の出入りが自由に行われるようにするトレイ挿入窓（２０）が形成され、前記収納部（１８）の形成位置に該当するケース本体（１２）の前面板（１２ｂ）の縁部の左右両側には光ディスクドライバ（１６）を固定する固定片（２２）が形成されることを特徴とする。
【０００７】
前記シャシーフロント（１４）の一側面には光ディスクドライバ（１６）と電気的に連結されその作動を制御するディスクドライバ作動スイッチ（２４）が設けられ、前記トレイ挿入窓（２０）の上方に該当するシャシーフロント（１４）の前面にはケース本体（１２）の内部のメインＰＣＢと電気的に連結された状態でコンピュータのオン、オフ動作を制御するメインスイッチ（２６）が設けられ、シャシーフロント（１４）の上部面にはケース本体（１２）の内部のメインＰＣＢと電気的に連結された多数個の機能ポート（３０ａ）が設けられた機能ポート部（３０）が形成される、前記機能ポート部（３０）は蓋（３２）により開閉されるように構成されることを特徴とする。
【０００８】
前記光ディスクドライバ（１６）は固定片（２２）に対して垂直に装着されるか、あるいは、垂直線を基準にしてその上端部がコンピュータ本体側に３〜５°の傾きで傾いて取り付けられることを特徴とする。  
【０００９】
前記ディスクトレイ（１６ａ）の表面下端の左右両側にはディスクトレイ（１６ａ）上に載置されるディスク（３４）が前方に離脱しないようにするディスク離脱防止片（１６ｂ）が取り付けられることを特徴とする。
【００１０】
前記光ディスクドライバ（１６）が収容される函体形の収納部（１８）はシャシーフロント（１４）の上部に形成され、前記収納部（１８）下方のシャシーフロント（１４）前面下部には、光ディスクドライバ（１６）の駆動時ディスクトレイ（１６ａ）の出入りが自由に行われるようにするトレイ挿入窓（２０）が形成されることを特徴とする。
【発明の効果】
【００１１】
本発明によれば、ＣＤＰまたはＤＶＤＰのような光ディスクドライバがコンピュータのシャシーフロントに設けられることによって、光ディスクドライバの大きさに該当する体積だけケース本体の内部体積が縮まるので、コンピュータケースの小型化及びスリム化によって空間活用度をアップすることができ、取り扱いも容易になる。
また、シャシーフロントに設けられる光ディスクドライバのディスクトレイが垂直方向の上方に引き出されることから、光ディスクドライバの作動初期にディスクトレイにディスクを搭載する動作が極めて便利となり、ディスクを正確に搭載できるため、光ディスクドライバの誤動作を予め防止できるという効果を奏する。
そして、光ディスクドライバがシャシーフロント上に装着される独創的なデザインによって製品イメージを一層高めることができる。    
【発明を実施するための最良の形態】
【００１２】
以下、添付した図面に基づき本発明の望ましい実施例を詳述する。
【実施例】
【００１３】
図１は本発明に係るシャシーフロントに光ディスクドライバを装着したコンピュータケースを示した部分分離斜視図であり、図２は図１の結合状態を示した斜視図である。    
図３は本発明に係るコンピュータのケースを構成するシャシーフロントの側断面図である。    
図４は本発明に係るシャシーフロントに光ディスクドライバを装着したコンピュータのケースにおいて光ディスクドライバの作動初期ディスクトレイがトレイ遊動溝内に引き出された状態を示す斜視図であり、図５は図４においてディスクトレイにディスクが搭載される状態を示す斜視図である。
【００１４】
図６は本発明の他の例として、シャシーフロント上部に光ディスクドライバ収納部が形成された状態を示すコンピュータのケースの斜視図であり、図７は図６の状態から光ディスクドライバの作動初期ディスクトレイがトレイ挿入窓内に引き出された状態を示す斜視図である。
本発明に係るシャシーフロントに光ディスクドライバを装着したコンピュータのケース１０は、ケース本体の前後幅を光ディスクドライバの前後長さに該当する大きさだけ縮められるようにし、光ディスクドライバをさらに便利に使用できるようにし、独特なデザインで製品のイメージをアップさせられるようにしたものである。
【００１５】
そのため、本発明では、コンピュータを構成するハードウェアが十分に収納できるサイズを有する六面体状であり、底面部が開放され、内部には左右側面板１２ａ、前面板１２ｂ、背面板１２ｃ及び上面板１２ｄによって遮蔽された空間部が形成されている。ケース本体１２の前面板１２ｂの外側には別に設けられるシャシーフロント１４が装着されている。コンピュータのケース１０を構成するシャシーフロント１４の下部には内側面が開放され、外面と左右両側面が囲まれた状態の函体形をなして光ディスクドライバ１６が収納される収納部１８が形成されている。
【００１６】
また、収納部１８の上方のシャシーフロント１４の中間部分には、外面が開放され、貫通孔２０ａを介して収納部１８と連通するように形成され光ディスクドライバ１６の駆動時ディスクトレイ１６ａの引出し及び引込み動作が自由に行われるようにするトレイ挿入窓２０が形成されている。        
収納部１８の形成位置に該当するケース本体１２の前面板１２ｂの縁部の左右両側には、光ディスクドライバ１６を固定する固定片２２が形成され、光ディスクドライバ１６は固定片２２に対して垂直に装着されるか、あるいは、垂直線を基準にしてその上部がコンピュータ本体側に３〜５°の傾きで傾斜して設置されている。
【００１７】
シャシーフロント１４の一側面には、光ディスクドライバ１６と電気的に連結されその作動を制御するディスクドライバ作動スイッチ２４が設けられ、トレイ挿入窓２０の上方のシャシーフロント１４の前面には、ケース本体１２の内部のメインＰＣＢと電気的に連結された状態でコンピュータのオン、オフ動作を制御するメインスイッチ２６が設けられている。
また、シャシーフロント１４の上部面には、別に設けられるコネクタ２８を介してケース本体１２の内部のメインＰＣＢと電気的に連結され多数個の機能ポート３０ａが設けられた機能ポート部３０が形成され、機能ポート部３０は蓋３２により開閉される。
【００１８】
光ディスクドライバ１６は、ケース本体１２の内部に設けられた電源供給部と電気的に連結されるが、このため電源供給部から引き出された他のコネクタ１６ｃがケース本体１２を構成する前面板１２ｂの下部外側に露出するように設けられる。
また、シャシーフロント１４の内側面の縁部には、多数のフック片１４ａが突出して形成され、それぞれのフック片１４ａと対応する前面板１２ｂの縁部にはフック片嵌合孔１２ｅが形成される。
【００１９】
ディスクトレイ１６ａの表面下端の左右両側には、ディスクトレイ１６ａ上に載置されるディスク３４が前方に離脱しないようにするディスク離脱防止片１６ｂ（図４，５）が接着テープにより取付けられる。
光ディスクドライバ１６が嵌着される函体形の収納部１８は、図６及び図７に示したように、シャシーフロント１４の上部に形成され、収納部１８の下方のシャシーフロント１４の前面下部には光ディスクドライバ１６の駆動時ディスクトレイ１６ａの出入りが自由に行われるようにするトレイ挿入窓２０が形成される。
【００２０】
以下、このように構成される本発明の結合関係及びその作用について説明する。
図１乃至図７に示す通り、まず光ディスクドライバ１６をケース本体１２を構成する前面板１２ｂ上の固定片２２の間に置いた状態で締結スクリュー２２ａを用いて光ディスクドライバ１６を固定する。前面板１２ｂの下部に露出するように引き出されたコネクタ１６ｃを光ディスクドライバ１６に接続し電気的に連結する。  
このような状態でシャシーフロント１４の内側面の縁部に形成されたそれぞれのフック片１４ａを前面板１２ｂの縁部に形成されたそれぞれのフック片嵌合孔１２ｅに嵌合してシャシーフロント１４がケース本体１２の前面に嵌着される。
【００２１】
この状態で前面板１２ｂの下方の外側に固定された光ディスクドライバ１６が、シャシーフロント１４の下方の内面に形成された収納部１８内に装着される。
また、機能ポート部３０上の各機能ポート３０ａは、コネクタ２８を介してケース本体１２の内部に設けられるメインＰＣＢと電気的に連結されるようにし、ディスクドライバ作動スイッチ２４とメインスイッチ２６は、それぞれ別の電線を介して光ディスクドライバ１６とメインＰＣＢと電気的に連結されるようにする。
【００２２】
このように結合した後、メインスイッチ２６を操作してコンピュータをオンさせ、シャシーフロント１４の一側面に設けられたディスクドライバ作動スイッチ２４を操作すれば図４に示したように、光ディスクドライバ１６の内部からディスクトレイ１６ａが上方に摺動した後貫通孔２０ａを介してトレイ挿入窓２０内に引き出された状態になる。
【００２３】
一方、図６及び図７のように光ディスクドライバ１６が収納される収納部１８がシャシーフロント１４の上部に形成される場合、ディスクトレイ１６ａの出入り動作は反対方向に行われる。  
この際、光ディスクドライバ１６が３〜５°の傾きで装着されたり、あるいはディスクトレイ１６ａの表面の下方に別のディスク離脱防止片１６ｂが取付けられる場合、ディスクトレイ１６ａに搭載されたディスク３４が離脱されないようになる。
【００２４】
この状態で、ユーザが前記ディスクトレイ１６ａ上にディスク３４を搭載させた後再び作動スイッチ２６を操作すれば、ディスク３４が搭載されたディスクトレイ１６ａが光ディスクドライバ１６の内側に引き込まれた後、光ディスクドライバ１６を構成するターンテーブル（図示せず）の回転動作によってディスク３４が回転しつつディスク３４に収録された情報の再生が行われ、あるいは、ディスク３４に情報が収録される。
【００２５】
一方、ＭＰ３を用いて音楽をダウンロードし、あるいは、デジタルカメラをコンピュータと連結して使用する場合は、シャシーフロント１４の上部面に設けられた機能ポート部３０の蓋３２を開放させた状態でＭＰ３やデジタルカメラから引き出される連結ジャック（Ｊａｃｋ）を機能ポート部３０上の該当機能ポート３０ａに接続させて使用すれば良い。
【図面の簡単な説明】
【００２６】
【図１】本発明に係るシャシーフロントに光ディスクドライバを装着したコンピュータのケースを示す部分分離斜視図である。
【図２】図１の結合状態を示した斜視図である。
【図３】本発明に係るコンピュータのケースを構成するシャシーフロントの側断面図である。
【図４】本発明に係るシャシーフロントに光ディスクドライバを装着したコンピュータのケースにおいて光ディスクドライバの作動初期ディスクトレイがトレイ挿入窓内に引き出された状態を示す斜視図である。
【図５】図４においてディスクトレイにディスクが搭載される状態を示す斜視図である。
【図６】本発明の他の例としてシャシーフロントの上部に光ディスクドライバ収納部が形成された状態を示すコンピュータ  ケースの斜視図である。
【図７】図６の状態から光ディスクドライバの作動初期ディスクトレイがトレイ挿入窓内に引き出された状態を示す斜視図である。
【符号の説明】
【００２７】
１０  ：  コンピュータのケース                              
１２  ：  ケース本体
１４  ：  シャシーフロント                                      
１６  ：  光ディスクドライバ
１６ａ  ：  ディスクトレイ                                  
１６ｂ  ：ディスク離脱防止片
１８  ：  収納部                                                    
２０  ：  トレイ挿入窓                                
２０ａ  ：  貫通孔                                                
２２  ：  固定片                                              
２４  ：  ディスクドライバ作動スイッチ          
２６  ：  メインスイッチ                                  
２８、１６ｃ  ：  コネクタ                                      
３０  ：  機能ポート部                        
３２  ：  蓋    
【図１】
2008130222.tif 000003
【図２】
2008130222.tif 000004
【図３】
2008130222.tif 000005
【図４】
2008130222.tif 000006
【図５】
2008130222.tif 000007
【図６】
2008130222.tif 000008
【図７】
2008130222.tif 000009